(57)【特許請求の範囲】
【請求項１】
盛土の法面の変形を防止するために、階層的に構築する各盛土層間に網目状シートなどを位置させる補強土盛土工法において、
当該網目状シートなどのシート状、または紐状の被張力体に張力を付与する装置であって、
一端に、被張力体を係止する係止部を有し、
他端に棒状の操作桿を有する張り具と、
張り具の係止部と操作桿の間を水平軸を中心に回転可能に支持する台座、とで構成したことを特徴とする、
張力付与装置。
【請求項２】
請求項１において、
係止部に爪状物を形成したことを特徴とする張力付与装置。
【請求項３】
請求項１において、
係止部に、被張力体を挟む操作が可能な複数の棒状物を設けたことを特徴とする
張力付与装置。
【請求項４】
請求項１乃至請求項３の何れかにおいて、
張り具と台座とが、
相対的に鉛直方向に移動可能に軸支されたことを特徴とする
張力付与装置。
【請求項５】
請求項１乃至請求項４の何れかにおいて、
張り具が、
係止部と、回転軸または軸受を有する軸支要素と、操作桿とからなり、
これらが分解組立て可能であることを特徴とする張力付与装置。
【請求項６】
請求項１乃至請求項５の何れかにおいて、
台座が、
張り具を水平軸を中心に回転可能に支持する台座枠と、
台座枠の下部に設けた張出脚とからなり、
張出脚が台座枠と分離可能であることを特徴とする
張力付与装置。
【請求項７】
請求項１乃至請求項６の何れかにおいて、
台座の下側の接地面に突起が突き出していることを特徴とする
張力付与装置。
【請求項８】
盛土の法面の変形を防止するために、階層的に構築する各盛土層間に網目状シートなどを位置させる補強土盛土工法において、
当該網目状シートなどのシート状、または紐状の被張力体に張力を付与する方法であって、
請求項１乃至請求項７の何れかに記載の張力付与装置を使用し、
梃子の原理を利用して、台座に軸支した張り具の操作桿の回動方向と反対方向に被張力体を牽引して、
被張力体に張力を付与することを特徴とする、
張力を付与する方法。
【請求項９】
請求項８において、
シート状または紐状の被張力体に張力を付与後、
被張力体に、アンカーを打設または置土して、被張力体を、張力を残して、固定することを特徴とする、
張力を付与する方法。
【発明の詳細な説明】
【０００１】
【発明の属する技術分野】
本発明は、シート状または紐状の被張力体に張力を付与する張力付与装置および張力を付与する方法に関するものである。
【０００２】
【従来の技術】
従来、盛土の法面の変形を防止するため、階層的に構築する各盛土層間に網目状シートを位置させ、該網目状シートの一端を法面ブロック等の法面保護材と連結して、法面保護材に、法面の内側向きの引張力を与えて、法面を補強する補強盛土工法が知られている。
しかし、従来は網目状シートを盛土層上に敷設した後に、作業者が直接手で網目状シートを引いて、法面の保護材に引張力を与えるだけなので、作業者の体重程度の引張力しか掛けられなかった。
【０００３】
【本発明が解決しようとする課題】
前記した補強盛土工法にあっては、次のような問題点がある。
＜イ＞  法面の保護材を法面の内側に引張る網目状シートの張力が少なく、盛土の圧力による、初期の法面の保護材の位置ずれを防ぐには不十分である。
＜ロ＞  作業者が直接手で網目状シートを引くため、網目状シートにかかる張力が不均一で、シートに集中荷重がかかり、シートが破断する。
【０００４】
【本発明の目的】
本発明は上記したような従来の問題点を解決するためになされたもので、前記網目状シートのようなシート状または紐状の被張力体に、集中荷重をかけることなく十分な張力を与えるための、張力付与装置および張力を付与する方法を提供することを目的とする。
本発明の別の目的は、簡易で、運搬や収納時の取扱い性に優れ、一部の部品を交換することで各種の被張力体に張力を付与できる、張力付与装置および張力を付与する方法を提供することを目的とする。
【０００５】
【課題を解決するための手段】
上記の目的を達成するために、請求項１に係る発明は、盛土の法面の変形を防止するために、階層的に構築する各盛土層間に網目状シートなどを位置させる補強土盛土工法において、当該網目状シートなどのシート状、または紐状の被張力体に張力を付与する装置であって、一端に、被張力体を係止する係止部を有し、他端に棒状の操作桿を有する張り具と、張り具の係止部と操作桿の間を水平軸を中心に回転可能に支持する台座、とで構成したことを特徴とする張力付与装置である。
請求項２に係る発明は、請求項１において、係止部に爪状物を形成したことを特徴とする張力付与装置である。
請求項３に係る発明は、請求項１において、係止部に、被張力体を挟む操作が可能な複数の棒状物を設けたことを特徴とする張力付与装置である。
請求項４に係る発明は、請求項１乃至請求項３の何れかにおいて、張り具と台座とが、相対的に鉛直方向に移動可能に軸支されたことを特徴とする張力付与装置である。
請求項５に係る発明は、請求項１乃至請求項４の何れかにおいて、張り具が、係止部と、回転軸または軸受を有する軸支要素と、操作桿とからなり、これらが分解組立て可能であることを特徴とする張力付与装置である。
請求項６に係る発明は、請求項１乃至請求項５の何れかにおいて、台座が、張り具を水平軸を中心に回転可能に支持する台座枠と、台座枠の下部に設けた張出脚とからなり、張出脚が台座枠と分離可能であることを特徴とする張力付与装置である。
請求項７に係る発明は、請求項１乃至請求項６の何れかにおいて、台座の下側の接地面に突起が突き出していることを特徴とする張力付与装置である。
請求項８に係る発明は、盛土の法面の変形を防止するために、階層的に構築する各盛土層間に網目状シートなどを位置させる補強土盛土工法において、
当該網目状シートなどのシート状、または紐状の被張力体に張力を付与する方法であって、請求項１乃至請求項７の何れかに記載の張力付与装置を使用し、梃子の原理を利用して、台座に軸支した張り具の操作桿の回動方向と反対方向に被張力体を牽引して、被張力体に張力を付与することを特徴とする張力を付与する方法である。
請求項９に係る発明は、請求項８において、シート状または紐状の被張力体に張力を付与後、被張力体に、アンカーを打設または置土して、被張力体を、張力を残して、固定することを特徴とする張力を付与する方法である。
【０００６】
【本発明の実施の形態】
以下図面を参照しながら本発明に係る張力付与装置の一実施の形態ついて説明する。
【０００７】
＜イ＞  概略構成
図１、図２、図３に本発明の張力付与装置の一例を示す。図１は構造説明図、図２、図３は原理説明図である。
本装置は張り具１と、張り具１を水平軸周りに回転可能に支持する台座２とにより構成する。
以下、本装置の詳細を順を追って説明する。
【０００８】
＜ロ＞  張り具
張り具１は、端部に係止体３を有する係止部４と、操作桿５と、係止部４と操作桿５の間に設けられ張り具１を回転可能に支持する軸支要素７とにより構成する。
係止部４は横長の鋼板で作製され、鋼板の長辺には、多数の爪が並んだ熊手状の係止体３を形成する。係止部４は直線状でも、図１、図２、図３のように鉤状に曲っていても差し支えない。また、本実施例では、係止部４は鋼板製であるが、鋳物等で製作しても差し支えない。
係止部４の係止体３と反対側の長辺の中央には、軸支要素７の一端を差し込む、円筒状の受け具８を固着する。受け具８の中心軸は、係止部４の長手方向と直交する方向に向ける。受け具８には、中心軸に直角にネジ孔を穿ち、ボルト９を配設する。
軸支要素７は円柱状の鋼棒で作製し、受け具８に差し込む部分は、ボルト９で確実に固定するため、円柱面の一部を平らに削り取る。軸支要素７の受け具９に差し込まれる側と反対側の端部には、軸支要素７を旋削して小径の嵌合軸１０を設ける。軸支要素７の中央部付近の両側には、円柱状の回転軸６を突設する。
嵌合軸１０にはパイプ状の操作桿５を差し込む。嵌合軸１０と操作桿５の結合は差し込むだけで十分で、特に固定する必要は無いが、ネジ等により固定しても差し支えない。
【０００９】
＜ハ＞  台座
台座２は、台座枠１２と、張出脚１４とにより構成する。
台座枠１２は、全体形が略コの字形を呈していて、その横断方向の長さは被張力体を跨げる寸法に設定してある。台座枠１２の上面には、着脱可能な軸受台１３を設置するとともに、各軸受台１３の外方には踏板１５を設ける。
台座枠１２の両袖の側面下部には、張出脚１４を内挿可能な樋１６を設ける。樋１６の中心軸は、係止部４の長手方向に対し直角の方向に向ける。
台座枠１２の下端面には、台座枠１２が滑り出すのを防止する突起１７を、各袖に一本以上、設ける。
一対の軸受台１３はボルト１８により螺着する。
軸受台１３には軸受孔１1を形成する。軸受孔１１の形状は、縦長または鉤状が好ましいが、単純な円形とすることも可能である。軸受孔１１には、張り具１の回転軸６が差し込まれる。
２本の樋１６内には、それぞれ角断面の張出脚１４を差し込む。張出脚１４の断面形状は張出脚１４が回転しない形状であれば、角断面以外でも差し支えない。張出脚１４の下面には、各張出脚に一本以上、突起１９を設ける。張出脚１４あるいは突起１９は、使用時には地面あるいは盛土に接地する。
【００１０】
＜ニ＞  装置の組み立て
本実施例の張力付与装置は組立て式で、張り具１は、係止部４と操作桿５と軸支要素７との組立体で、台座２は、一対の軸受台１３が螺着された台座枠１２と２本の張出脚１４との組立体である。
組み立ては、まず係止部４と軸支要素７を、係止部４の長手方向と軸支要素７の回転軸６の軸方向が一致するように、ボルト９で締結する。
次に軸支要素７の回転軸６を、軸受台１３の軸受孔１１に差込んでから、軸受台１３を台座枠１２にボルト１８で固定する。
その後、張出脚１４を台座枠１２の樋１６に差込み、最後に操作桿５を軸支要素７の嵌合軸１０に差込んで組み立てが完了する。
従って、簡単に分解、組立ができるので、運搬、収納に便利なのは勿論であるが、係止部４のみを交換することにより、各種のシート状または紐状の被張力体に張力を付与できる。また、操作桿５は、軸支要素７を台座２に組み付け後、軸支要素７に差込めるので、軸支要素７と台座２の組み立てが容易になる利点がある。
【００１１】
＜ホ＞  使用法
図２、図３は、本願発明の張力付与装置を使用して、被張力体である網目状シート２３に引張り力を付与する作業の説明図である。
盛土２０の法面側には、法面保護材２１を設置する。
該法面保護材２１の背面には、連結具２２を介して、盛土２０上に敷いた網目状シート２３の左端すなわち固定端２４を連結して繋止する。そして、網目状シート２３を盛土２０上に敷設する。
しかし、網目状シート２３を作業者が手で引いた程度では、網目状シート２３を緩みなく敷設することは難しい。
そこで、台座２を、台座枠１２のコの字の口の開いた側を下にして、盛土２０上に置いた網目状シート２３を跨いで設置する。
ついで、係止体３の爪を網目状シート２３の網目に差込む。
作業者は、踏板１５上に、操作桿５に向きかつ網目状シート２３の固定端２４側を向いて立ち、操作桿５の上端を持って体から離す方向に押す。
すると張り具１が回転軸６を中心に反時計回りに回転し、網目状シート２３が係止体３により固定端２４と反対側に引かれ、網目状シート２３に大きな張力が作用する。
この時、台座枠１２の突起１７が、地面に突き刺さり、網目状シート２３に加えた張力の反力で、台座２が滑り出すのを防止する。同時に、張出脚１４および張出脚１４の突起１９が、台座２が転倒するのを防止する。張出脚１４は取り外しできるので、運搬、収納の利便性を失わずに、長い張出脚１４を使用でき、台座２の転倒防止効果を大きくすることができる。
【００１２】
網目状シート２３に張力を作用させている間に、固定端２４と係止体３の間に、アンカー２５を打設するか、置土をして、網目状シート２３を固定する。これで、作業者が操作桿５を押す力を緩めた後も、網目状シート２３の張力は維持される（図３）。
この後、台座２を移動させて別の網目状シートの引張り作業を行い、盛土２０上の網目状シート全部に張力を付与した後、再び盛土をして法面保護材を設置し、更に盛土をして網目状シートを敷く作業を繰り返す。
【００１３】
ここで、網目状シート２３の幅と係止部４の幅をほぼ等しく選ぶことにより、網目状シート２３の全幅にほぼ均一な張力が生じるので、法面保護材２１を法面の内向きに引く張力を、網目状シート２３の強度の限界まで大きくすることが出来る。
また、係止体３を多数の爪を複数列に並べた百足状とすることにより、網目状シート２３の複数列の網目に爪を掛けることが可能になり、網目が引き裂け易い場合などには、網目を破らずに、より大きい張力を掛けることができる。
また、張り具１の回転軸６を、操作桿５の端と係止体３の真中より係止体３寄りに配設することにより、てこの原理が利用でき、網目状シート２３に掛る張力を、作業者が直接手で引く場合に比較して、４倍位にできる。
また、作業者が台座２の上に乗って操作桿５を押し、操作桿５の反力を台座２で受け止めるので、台座２を回転させる力を相殺でき、作業者が地面に立って操作桿５を押し、操作桿５の反力を地面で受け止める場合に比べ、台座２の重量を軽くできる。更に、台座２の重量に作業者の体重が付加される分でも、台座２の重量を軽くできる。
また、軸受孔１１の形状を縦長または鉤状とすることにより、張り具１を回転させた時に、係止爪が盛土に潜り込んで抵抗が増えるのを防止できるので、網目状シート２３にかかる張力を一定にできる。
更に、網目状シート２３を作業者が直接手で引く場合に比較して、作業がし易いので、各網目状シートに掛る張力を均一にでき、法面の保護材が正確な位置関係に並び易い利点がある。
なお上記の説明では、作業者は操作桿５を押して網目状シート２３に張力を与えたが、逆に作業者が網目状シート２３の固定端に背中を向けて立ち、操作桿５を手前に引き付けても、係止体３で網目状シート２３を引いて、網目状シート２３に張力を与えることができる。
また、上記の実施例では張り具１の支持要素７に回転軸６を設け、台座２の軸受台１３に軸受孔１１を設けて、張り具１を台座２上に回転可能に支持したが、逆に、張り具１の支持要素７に軸受孔を設け、台座２の軸受台１３に回転軸を設けることも可能である。
また、張力脚１４は、台座枠１２の寸法が、引張り方向に十分長ければ省略することも可能だが、台座全体の重量が重くなるという不利益を生じる。
【００１４】
本張力付与装置は、係止体３の爪の数や形状あるいは間隔を変更することにより、テントの布のように適当な爪を引っ掛ける穴のあるシートや紐状のロープに水平方向の張力を与える装置として使用できる。
ロープに張力を与える場合は、ロープの一部を輪状にして係止体３の爪を通すか、係止体３に結び付けるかすれば良く、この場合、係止体３は熊手状である必要はなく、１本の爪で十分である。
【００１５】
【本発明の実施の形態２】
本願発明の張力付与装置は、係止部４の構造を変更することにより、適当な引っ掛け部を持たない、シート状や紐状の被張力体に張力を与えることができる。図４から図６に、適当な引っ掛け部を持たない、被張力体に張力を与える場合に使用する係止部４の構造を示す。
係止部４は、二本の平行な円柱状の棒２６、２７から構成する係止体３と、該二本の棒を支持する支持部材２８と、受け具８とで構成する。
支持部材２８は、コの字状に曲げた鋼板で、コの字の両端の辺の内側に二本の平行な円柱状の棒２６、２７を支持し、コの字の中央の辺の外側に円筒状の受け具８を固定する。
上側の円柱状の棒２６は、両端に設けた円柱の中心軸に対し偏心した回転軸２９を介して、支持部材２８に回動可能に支持される。下側の円柱状の棒２７は、支持部材２８に固定する。両円柱状の棒２６、２７は、軽量化のため、内部が中空の円筒とすることも可能である。
平行な両円柱状の棒２６、２７の間隔は、上側の円柱状の棒２６が回転軸２９を中心に回転して、下側の円柱状の棒２７に最も近づいた時、両円柱状の棒２６、２７の隙間が、張力を付加するシート状または紐状の被張力体の厚さより小さくなるように選定する。回転軸２９の円柱の中心軸に対する偏心量は、両円柱状の棒２６、２７が最も離れた時、両円柱状の棒２６、２７の隙間が、被張力体の厚さより大きくなるように選定する。
【００１６】
従って、被張力体に張力を付加する時は、まず、図５に示すように、上側の円柱状の棒２６を図では反時計方向に回転して、両円柱状の棒２６、２７の隙間を広げ、該隙間に被張力体、例えばシート３０の端部を通過させる。その後、上側の円柱状の棒２６を時計方向に回転して、シート３０を、両円柱状の棒２６、２７の間に挟み込み、作業者が操作桿５を反時計方向に回転させると、係止部４がシート３０を右方向に引いて張力を付加する。この時、シート３０に張力がかかるほど、上側の円柱状の棒２６が回転して、両円柱状の棒２６、２７の隙間が狭まるので、シートが滑って張力が抜けることはない。
【００１７】
【本発明の実施の形態３】
図７の係止部４は、適当な引っ掛け部の無いシート状や紐状の被張力体に張力を与える場合に使用する。
係止部４は、基板３１と、係止体３を構成する多数の針状の爪３２とから構成する。基板３１の上面には、受け具８を固定し、下面には多数の先の尖った爪３２を剣山状に植え付ける。基板３１の下面の膨らみは、張り具１の回転軸６を中心とする円弧で、爪３２は該円弧に垂直に植え付ける。
作業時は、被張力体の上に、基板３１を乗せて、爪３２を被張力体に突き刺した後、作業者が操作桿５を、回転させて、被張力体に張力を加える。従って、台座２の軸受孔１１は縦に長い長穴または鉤穴とする必要がある。基板３１の下面が円弧状なので、係止部４が回転軸６を中心に回転する時、被張力体に突き刺さる爪３２の数は、常にほぼ一定になり、特定の針に張力が集中することはない。爪３２は、張力を付加する時に被張力体から抜けなければ、被張力体を貫通しても、しなくても良い。
本係止部４は、ゴム製の厚いシートや、織物または不織布のシートのようなもので、多少の傷は許容できる被張力体に張力を付加するのに好適である。
【００１８】
【本発明の効果】
本発明は、以上説明したようになるから次のような効果を得ることができる。＜イ＞  簡単な装置で、盛土の法面の保護材を法面の内側に引張る網目状のシート等の被張力体に、十分な引張り力を与えることが出来る。
＜ロ＞  作業者が直接手で引く場合に比べ、被張力体にかかる張力を被張力体の全幅に渡って均一にできるので、被張力体にかかる集中荷重が軽減され、被張力体の破断を防止することができる。
＜ハ＞  小部分に分解できるので、運搬や収納時の取り扱いが容易である上、係止部のみを付け替えることにより、各種の被張力体に張力を付加することが可能である。
【図面の簡単な説明】
【図１】は本発明の張力付与装置の一例の構造を示す鳥瞰図。
【図２】は図１の装置の使用法を説明する中心断面図。
【図３】は図１の装置の使用法を説明する中心断面図。
【図４】は本発明の張力付与装置の第２の実施の形態の係止部の構造を示す鳥瞰図。
【図５】は図４の装置の使用法を説明する側面図。
【図６】は図４の装置の使用法を説明する側面図。
【図７】は本発明の張力付与装置の第３の実施の形態の係止部の構造を示す斜視図。
【符号の説明】
１    張り具                          ２    台座
３    係止体                          ４    係止部
５    操作桿                          ６    回転軸
７    軸支要素                        ８    受け具
９    ボルト                        １０    嵌合軸
１１    軸受孔                        １２    台座枠
１３    軸受台                        １４    張出脚
１５    踏板                          １６    樋
１７    突起                          １８    ボルト
１９    突起                          ２０    盛土固定端
２１    法面保護材                    ２２    連結具
２３    網目状シート                  ２４    固定端
２５    アンカー                      ２６    棒
２７    棒                            ２８    支持部材
２９    回転軸                        ３０    シート
３１    基板                          ３２    爪
【図１】
0004251519.tif 000002
【図２】
0004251519.tif 000003
【図３】
0004251519.tif 000004
【図４】
0004251519.tif 000005
【図５】
0004251519.tif 000006
【図６】
0004251519.tif 000007
【図７】
0004251519.tif 000008